(57)【要約】      （修正有） 【課題】クリアファイルに新しい機能を付与することができる多目的クリアファイルを提供する。【解決手段】クリアファイル１を構成する表裏のシート１ａ，１ｂまたは中仕切りシートに身飾品などを収納する大小各種の小箱２ａ，２ｂ，食事時のランチョンマット，敷物，絵付きカレンダー，吊り下げモビール，贈答用のラッピングケース，封筒，証券・通帳類のケース，名刺入れなどの物品のいずれかの物品を型抜き形成することのできる型抜き用の切れ目３を設ける。【選択図】図１
0003200709.tif 000002
【実用新案登録請求の範囲】
【請求項１】
クリアファイルを構成する表裏のシートに身飾品などを収納する大小各種の小箱，食事時のランチョンマット，敷物，絵付きカレンダー，吊り下げモビール，贈答用のラッピングケース，封筒，証券・通帳類のケース，名刺入れなどの物品のいずれかの物品を型抜き形成することのできる型抜き用の切れ目を設けたことを特徴とする多目的クリアファイル。
【請求項２】
クリアファイルに切り取り可能の中仕切りシートを挟み込み取付け、この中仕切りシートに物品を型抜き形成することのできる型抜き用の切れ目を設けた請求項１に記載の多目的クリアファイル。
【請求項３】
型抜き用の切れ目は折り立て用の折り目を有す請求項１または２に記載の多目的クリアファイル。
【考案の詳細な説明】
【技術分野】
【０００１】
この考案はクリアファイルに書類などの挟み納めのほか、多くの物品中のいずれかの物品を型抜き形成することができるようにした多目的クリアファイルに関する。
【背景技術】
【０００２】
この種のクリアファイルとしては実用新案登録第３１１５７１０号公報がある。該公報は袋の上部に長方形などの手提げ用の孔を設けて手提げ袋とし、この手提げ袋にミシン目や切り込みを入れて１種のクリアファイルを形成することができるようにしたということを記載している。
【特許文献１】登録実用新案第３１１５７１０号公報
【考案の開示】
【考案が解決しようとする課題】
【０００３】
しかしながら、該公報は手提げ袋から１種類のクリアファイルを切り抜き形成するにとどまっていて、クリアファイルの用途を多目的にする記載に欠けているという課題がある。
【課題を解決するための手段】
【０００４】
本考案は、クリアファイルを構成する表裏のシートまたは中仕切りシートに身飾品などを収納する大小各種の小箱，食事時のランチョンマット，敷物，絵付きカレンダー，吊り下げモビール，贈答用のラッピングケース，封筒，証券・通帳類のケース，名刺入れなどの物品のいずれかの物品を型抜き形成することのできる型抜き用の切れ目を設けて、クリアファイルに書類の挟み納めのほか、必要な物品を手軽に型抜き形成することができるようにして課題を解決するようにしたのである。
【考案の効果】
【０００５】
本考案は、クリアファイルを書類の挟み納め機能から身飾品などを収納する大小各種の小箱，食事時のランチョンマット，敷物，絵付きカレンダー，吊り下げモビール，贈答用のラッピングケース，封筒，証券・通帳類のケース，名刺入れなどの物品を型抜き形成することのできるように用途を格段に拡げるという効果を生ずる。
【０００６】
クリアファイルの用途が拡がることで、クリアファイルの不要による廃棄，しまい込みが少なからず解消するという効果を生ずる。
【図面の簡単な説明】
【０００７】
【図１】第１実施例で、（ａ）の左半はクリアファイルの正面図、右半は表シートからの型抜きと折り立てにて形成した小箱、（ｂ）の左半はクリアファイルの背面図、右半は裏シートからの型抜きと折り立てにて形成した小箱の斜視図
【図２】同、表裏シートに跨る切れ目の型抜きにて形成した大きめの小箱の斜視図
【図３】表裏シート間に中仕切りシートを挟み込み取付けして型抜き用の切れ目を設けた例で、右半上段は切り離した中仕切りシート、右半下段は組立てた小箱を示す斜視図
【図４】第２実施例で、左半はクリアファイルの正面図、右半は型抜きして展開したランチョンマットまたは敷物の平面図
【図５】第３実施例で、左半はクリアファイルの正面図、右半は型抜きして切り離した絵付きカレンダーの正面図
【図６】第４実施例で、左半はクリアファイルの正面図、右半は型抜きしてモビールとして吊り下げた状態を示す斜視図
【図７】中仕切りシートに型抜き用の切れ目を設けた例で、右半上段は切り離した中仕切りシート、右半下段は組立てた栞を形成した例を示す斜視図
【図８】第５実施例で、（ａ）はクリアファイルの正面図、（ｂ）は型抜きにて証券・通帳類の収納ケースを形成した状態を示す斜視図、（ｂ）はさらに型抜きして折り蓋付きの封筒ケースを形成した状態を示す斜視図
【図９】ポケット形成用のシートの上端の延長にて内折り形の折り蓋を設けた例を示す正面図
【図１０】表シートにポケットの開口上から外折りする折り蓋を型抜き形成した例を示す正面図
【考案を実施するための形態】
【０００８】
本考案は、クリアファイルを構成する表裏のシートまたは中仕切りシートに身飾品などを収納する大小各種の小箱，食事時のランチョンマット，敷物，絵付きカレンダー，吊り下げモビール，贈答用のラッピングケース，封筒，証券・通帳類のケース，名刺入れなどの物品のいずれかの物品を型抜き形成することのできる型抜き用の切れ目を設けて、クリアファイルを書類の挟み納めのほか、多くの物品より必要な物品を型抜き形成することができるようにして、クリアファイルの不要による廃棄，しまい込みを少なからず解消するようにする。
【実施例１】
【０００９】
図１乃至図３は本考案の第１実施例であって、Ａ４版大きさのクリアファイル１の表裏シート１ａ，１ｂに大小の小箱２ａ，２ｂの展開図形の切れ目３を設ける。４は組み立て用の折り目である。
【００１０】
この切れ目３に沿って展開図形を型抜きして各折り目４の折り立てにて図１（ａ）（ｂ）の各右半に示す身飾品などを収容する大小の小箱２ａ，２ｂを型抜き形成する。なお小箱２ａ，２ｂのそれぞれの合わせ目は透明な接着テープ（図示してない）により接着固定する。図２は表裏シート１ａ，１ｂに跨って小箱２ｃの切れ目３を形成して大きめの小箱２ｃを形成した例を示すものである。
【００１１】
しかして、小箱２ａ，２ｂ，２ｃは切れ目３を形成する展開図形の形状によって、いろいろな形の小箱にすることができて、ポケットティッシュ入れ，印鑑入れ（いずれも図示してない）などを型抜きして形成することもできる。
【００１２】
なお切れ目３は力を加えることなしに容易に型抜きすることができるように形成する。
【００１３】
小箱２ａ，２ｂ，２ｃは身飾品を収納するほか、色表紙などの包装紙にて包んで贈答用などのラッピングケースにすることもできる。
【００１４】
なお図３に示すようにクリアファイルの表裏シート１ａ，１ｂ間に切り取り可能の中仕切りシート１ｄを挟み込み取付けして、この中仕切りシート１ｄにのみ型抜き用の切れ目３を設けることもある。この場合は型抜きした中仕切りシート１ｄを切取るようにする。中仕切りシート１ｄは表裏シート１ａ，１ｂよりも厚手のシートを使用して小箱２ｄの強度を向上するようにすることもある。
中仕切りシート１ｄを切り取ったクリアファイル１は引続き書類の挟み納めに使用されることとなる。
【実施例２】
【００１５】
図４は本考案の第２実施例であって、Ａ４版の大きさのクリアファイルの縦折り目１ｃをもとに大きさ一杯の型抜き用のコ形切れ目３を表裏シート１ａ，１ｂに揃えて設けてこの切れ目３より型抜きして、縦折り目１ｃを中心に展開して食事時のランチョンマット５，敷物６を形成する。
【実施例３】
【００１６】
図５は本考案の第３実施例であって、クリアファイル１の表裏シート１ａ，１ｂのそれぞれにキャラクターなどの絵付きのカレンダー７を形成するための型抜き用の切れ目３を設け、切れ目３に沿って型抜きして１２カ月の絵付きカレンダー７とするのである。
【００１７】
各絵付きカレンダー７の上部に掛け穴７ａを設けて絵付きカレンダー７を掛け並べることができるようにすることもある。
【００１８】
絵付きカレンダー７の絵は、アニメ，漫画などで人気のキャラクター，人気の人物，動物を模した絵、風景，月，星などの風物その他の絵にして形成する。
【実施例４】
【００１９】
図６は本考案の第４実施例であって、クリアファイル１の表裏シート１ａ，１ｂにいろいろな小型のモビール用の吊り飾り８を型抜き可能に設けて、切れ目３より各モビール用の吊り飾り８を型抜きして図４の右半に示すように吊り糸８ａ類にて吊り下げてモビール吊り飾り９とする。
【００２０】
なお、絵付きカレンダー７またはモビール用の吊り飾り８は第１実施例と図７に示すように同様にして中仕切りシート１ｄに型抜き用の切れ目３を設けることもできる。絵付きカレンダー７またはモビール用の吊り飾り８はリボン８ｂを付けて栞８ｃとして使用することもできる。
【実施例５】
【００２１】
図８は本考案の第５実施例であって、クリアファイル１の表シート１ａ上にポケット形成用のシート１０ａをウェルダー溶着して、名刺入れ１０，証券・通帳類の収納ケース１１を型抜き可能に形成した例を示している。
【００２２】
クリアファイル１は、表シート１ａ上はシート１０ａの形状によって名刺入れ１０を備えたものとなり、図６（ｂ）に示すように表裏シート１ａ，１ｂの切れ目３より型抜きすると、名刺入れ１０付きの証券等の収納ケース１１を形成することになる。
【００２３】
さらに図８（ｃ）に示すように型抜きによる証券等の収納ケース１１は折り蓋１２付きにすることができる。証券等の収納ケース１１は内側に折り罫（図示してない）を設けてマチ付きにして膨らむようにすることもできる。
このようにして大小各種の封筒（図示してない）も型抜き形成することができる。
【００２４】
図９はポケット形成用のシート１０ａの上端の延長にて表シート１ａ側に折り曲げ入れて収納した証券等の抜出しを防止する折り蓋１２を形成した例を示すものである。
【００２５】
図１０はポケット形成用シート１０ａの延長にかえて表シート１ａに折り蓋１２形成用の切れ目３を設けた例を示すものである。
【００２６】
本考案によれば、クリアファイルは書類等の挟み納めのほか、必要または好みの物品を型抜きすることができて用途を格段に拡大することとなる。
【産業上の利用可能性】
【００２７】
本考案はクリアファイルの表裏シートに型抜き用の切れ目を設けて多くの物品より必要か好みの物品を型抜きすることで広く利用されることになる。
【符号の説明】
【００２８】
１はクリアファイル
１ａ，１ｂは表裏のシート
１ｃは縦折り目
１ｄは中仕切りシート
２ａ，２ｂ，２ｃ，２ｄは小箱
３は切れ目
４は組み立て用の折り目
５はランチョンマット
６は敷物
７は絵付きのカレンダー
７ａは掛け穴
８はモビール用吊り飾り
８ａは吊り糸
８ｂはリボン
８ｃは栞
９はモビール
１０は名刺入れ
１０ａはポケット形成用シート
１１は証券・通帳類の収納ケース
１２は折り蓋
【図１】
0003200709.tif 000003
【図２】
0003200709.tif 000004
【図３】
0003200709.tif 000005
【図４】
0003200709.tif 000006
【図５】
0003200709.tif 000007
【図６】
0003200709.tif 000008
【図７】
0003200709.tif 000009
【図８】
0003200709.tif 000010
【図９】
0003200709.tif 000011
【図１０】
0003200709.tif 000012